(57)【要約】【課題】実際の室内空気の温度と、室内吸込温度検出装置で検知する室内空気の温度との差異を小さくすることができる空気調和機を提供すること。【解決手段】本発明の空気調和機は、室外機と室内機とを有する空気調和機において、室内機の内部には少なくとも空気と冷媒とが熱交換を行う室内熱交換器と、吸い込み温度を検出する室内吸込温度検出装置とを備え、室内吸込温度検出装置と室内熱交換器との間に断熱材を配設したことにより、室内熱交換器の輻射熱の影響を抑制し、室内吸込温度検出装置で検出する空気の温度と、実際の室内空気の温度との誤差を小さくすることができる。【選択図】図７
2011202901.tif 000002
【特許請求の範囲】
【請求項１】
室外機と室内機とを有する空気調和機において、前記室内機の内部には少なくとも空気と冷媒とが熱交換を行う室内熱交換器と、吸い込み温度を検出する室内吸込温度検出装置とを備え、前記室内吸込温度検出装置と前記室内熱交換器との間に断熱材を配設したことを特徴とする空気調和機。
【請求項２】
前記室内機の内部に、冷媒の流量を調整する室内膨張弁と、前記室内機を制御する室内制御器とを備え、前記室内膨張弁は前記室内熱交換器の側方に配置され、前記室内制御器は前記室内膨張弁とは反対側の前記室内熱交換器の側方に配置され、前記室内制御器と前記室内膨張弁とはリード線で接続され、前記室内熱交換器は前面側熱交換部と背面側熱交換部で形成されるとともに、前記前面側熱交換部と前記背面側熱交換部との間に前記リード線を収納するリード線収納部を配置し、前記リード線収納部に前記室内吸込温度検出装置を配置したことを特徴とする請求項１に記載の空気調和機。
【請求項３】
前記リード線収納部の裏面にシール材を配設したことを特徴とする請求項１または２に記載の空気調和機。
【請求項４】
前記室内機の前面側を構成する前面グリルの内側であって、前記室内膨張弁の天面部側に緩衝材を配設したことを特徴とする請求項１から３のいずれか１項に記載の空気調和機。
【発明の詳細な説明】
【技術分野】
【０００１】
本発明は、壁掛け用の室内機を有する空気調和機に関するものである。
【背景技術】
【０００２】
従来、この種の空気調和機は、壁掛け用の室内機と、室外に配置される室外機で構成される。そして室内機と室外機とを冷媒配管で接続して、室内を空調する（例えば、特許文献１参照）。
【０００３】
そして、空気調和機の室内機の内部には、冷媒と空気とを熱交換する室内熱交換器と、吸い込んだ室内空気の温度を検出する室内吸込温度検出装置とが配置されている。
【先行技術文献】
【特許文献】
【０００４】
【特許文献１】特開２００３−３３６８５７号公報
【発明の概要】
【発明が解決しようとする課題】
【０００５】
しかしながら、室内吸込温度検出装置と室内熱交換器とが近い位置に配置されており、室内熱交換器の輻射熱が、室内吸込温度検出装置で検出する温度に影響を及ぼしてしまい、実際の室内空気の温度から大きくずれてしまうという課題を有していた。
【０００６】
本発明は、前記従来の課題を解決するもので、実際の室内空気の温度と、室内吸込温度検出装置で検知する室内空気の温度との差異を小さくすることができる空気調和機を提供することを目的とする。
【課題を解決するための手段】
【０００７】
前記従来の課題を解決するために、本発明の空気調和機は、室外機と室内機とを有する空気調和機において、室内機の内部には少なくとも空気と冷媒とが熱交換を行う室内熱交換器と、吸い込み温度を検出する室内吸込温度検出装置とを備え、室内吸込温度検出装置と室内熱交換器との間に断熱材を配設したことにより、室内熱交換器の輻射熱の影響を抑制し、室内吸込温度検出装置で検出する空気の温度と、実際の室内空気の温度との誤差を小さくすることができる。
【発明の効果】
【０００８】
本発明は、実際の室内空気の温度と、室内吸込温度検出装置で検知する室内空気の温度との差異を小さくすることができる空気調和機を提供することができる。
【図面の簡単な説明】
【０００９】
【図１】本発明の実施の形態１における空気調和機の外観図
【図２】同実施の形態１における冷凍サイクルの構成図
【図３】同実施の形態１における室内機の正面構成図
【図４】同実施の形態１における室内機の上面構成図
【図５】同実施の形態１における室内機の概略断面図
【図６】同実施の形態１におけるリード線収納部の構成図
【図７】同実施の形態１におけるリード線収納部の断面図
【図８】同実施の形態１における前面グリルの裏面外観図
【発明を実施するための形態】
【００１０】
第１の発明の空気調和機は、室外機と室内機とを有する空気調和機において、室内機の内部には少なくとも空気と冷媒とが熱交換を行う室内熱交換器と、吸い込み温度を検出する室内吸込温度検出装置とを備え、室内吸込温度検出装置と室内熱交換器との間に断熱材を配設したことにより、室内熱交換器の輻射熱の影響を抑制し、室内吸込温度検出装置で検出する空気の温度と、実際の室内空気の温度との誤差を小さくすることができる。
【００１１】
第２の発明の空気調和機は、特に第１の発明において、室内機の内部に、冷媒の流量を調整する室内膨張弁と、室内機を制御する室内制御器とを備え、室内膨張弁は室内熱交換器の側方に配置され、室内制御器は室内膨張弁とは反対側の室内熱交換器の側方に配置され、室内制御器と室内膨張弁とはリード線で接続され、室内熱交換器は前面側熱交換部と背面側熱交換部で形成されるとともに、前面側熱交換部と背面側熱交換部との間にリード線を収納するリード線収納部を配置し、リード線収納部に室内吸込温度検出装置を配置したことにより、リード線収納部と断熱材とによってさらに室内熱交換器の輻射熱の影響を抑制することができる。
【００１２】
第３の発明の空気調和機は、特に第１または第２の発明において、リード線収納部の裏面にシール材を配設したことにより、前面側熱交換部と背面側熱交換部との間から暖かい空気が入って、冷たい空気と暖かい空気とが混在することによって生じる結露を防止することができる。
【００１３】
第４の発明の空気調和機は、特に第１から第３の発明において、室内機の前面側を構成する前面グリルの内側であって、室内膨張弁の天面部側に緩衝材を配設したことにより、輸送時の室内膨張弁の振動を緩衝材で吸収し、冷媒配管から室内膨張弁が抜けてしまうことを防止することができる。
【００１４】
以下、本発明の実施の形態について、図面を参照しながら説明する。なお、この実施の形態によって本発明が限定されるものではない。
【００１５】
（実施の形態１）
図１は、本発明の実施の形態１における空気調和機の室内機の外観図であり、図２は、本発明の実施の形態１における空気調和機の冷凍サイクルの構成図である。なお、本実施の形態１においては、多室型空気調和機を例に取って説明するが、これに限定されることはなく、室外機と室内機とがそれぞれ一つずつの空気調和機であっても問題はない。
【００１６】
図２に示すように、空気調和機１は多室型空気調和機であるので、複数台の室内機１６ａ〜１６ｃと室外機１９に分かれており、それぞれが冷媒配管で接続されている。そして圧縮機２、冷媒の循環方向を切り換える四方弁３、室外熱交換器４、冷媒の流量を制御する室外膨張弁５、冷媒配管７、複数台の室内熱交換器６ａ〜６ｃを有している。
【００１７】
また、室外熱交換器４を通過する空気流を発生させる室外ファン１０と、室内熱交換器６ａ〜６ｃをそれぞれ通過する空気流を発生させる室内ファン１２ａ〜１２ｃを有している。
【００１８】
また、圧縮機２の冷媒流出側に設けられる吐出温度検出装置９、室外熱交換器４の所定位置に設けられる室外熱交温度検出装置１１、室外熱交換器４の風上側の所定位置に設けられる室外吸込温度検出装置２０、室内熱交換器６ａ〜６ｃの所定位置にそれぞれ設けられる室内熱交温度検出装置１３ａ〜１３ｃ、室内熱交換器６ａ〜６ｃのガス管側にそれぞれ設けられる室内ガス管温度検出装置２２ａ〜２２ｃ、室内熱交換器６ａ〜６ｃの風上側の所定位置にそれぞれ設けられる室内吸込温度検出装置１４ａ〜１４ｃを有する。
【００１９】
また、リモ−トコントロ−ラ１７ａ〜１７ｃの信号をそれぞれ受信する室内制御器１５ａ〜１５ｃ、室内制御器１５ａ〜１５ｃと通信を行う室外制御器１８を有している。
【００２０】
さらに、本実施の形態では多室型空気調和機であるので、室内機のそれぞれにおいて内部に室内膨張弁２１ａ〜２１ｃを有しており、それぞれの室内機の内部で冷媒流量を調整できるようになっている。
【００２１】
図３は、実施の形態１における室内機の正面構成図である。図３に示すように、室内熱交換器６の側方に室内制御器１５を配設し、室内制御器１５と反対側の室内熱交換器６の側方に室内膨張弁２１を構成している。
【００２２】
また、室内熱交換器６の前面側熱交換部６−１の下方に配設された水受け皿２５Ａとは別に、室内膨張弁２１の下方に水受け皿２５Ｂを配設している。
【００２３】
図４は、実施の形態１における室内機の上面構成図である。図４に示すように、室内膨張弁２１に接続される配管２７および２８の一部を室内熱交換器６の背面側に構成している。また、室内膨張弁２１のリード線部２１−１を室内熱交換器６の前面側熱交換部６−１と背面側熱交換部６−２との間に配置している。
【００２４】
図５は、実施の形態１における室内機の断面概略図である。図５に示すように、室内膨張弁２１のリード線部２１−１が内部に収納されているリード線収納部２９が、室内熱交換器６の前面側熱交換部６−１と背面側熱交換部６−２との間に配置されている。
【００２５】
図６は、実施の形態１における空気調和機の室内機のリード線収納部２９の構成図である。図６に示すように、リード線収納部２９は、複数のリード線固定リブ２９−２を有しており、リード線固定リブ２９−２で、室内膨張弁２１のリード線部２１−１を固定している。また、リード線カバーの蓋２９−３を閉めて、複数のリード線カバーの蓋のリブ２９−４でリード線カバーの蓋２９−３が開かないように固定している。また、複数のリード線カバーの蓋のリブ２９−４は、複数のリード線カバー穴あき部２９−５に入る構成している。
【００２６】
また、リード線収納部２９にある室内吸込温度検出装置１４の固定部に、断熱材３８を貼り付け、室内吸込温度検出装置固定リブ２９−１で室内吸込温度検出手段１４を固定する構成にしている。
【００２７】
以上のように、室内吸込温度検出装置１４と室内熱交換器６の前面側熱交換部６−１との距離が大きくなり、室内熱交換器６の冷熱による輻射の影響を受けにくくなるため、実際の室温と室内吸込温度検出装置１４の温度とのずれを小さくすることができる。
【００２８】
図７は、実施の形態１における空気調和機の室内機のリード線収納部２９の概略断面図である。図７において、複数のリード線カバー固定リブ２９−６を室内熱交換器６の前面側熱交換部６−１に突き刺すことにより、リード線カバー２９を固定している。
【００２９】
複数のリード線カバー穴あき部２９−５から複数のリード線カバー固定リブ２９−６を突き刺した部分を通過する空気が多くなるため、室内熱交換器６の前面側熱交換部６−１に接触しているリード線収納部２９の裏面にシール材３９を貼り付ける構成にしている。なお、シール材３９はリード線収納部２９の裏面の端から端まで貼り付けられている。
【００３０】
以上のように、複数のリード線カバー穴あき部２９−５から複数のリード線カバー固定
リブ２９−６を突き刺した部分に侵入して熱交換せずに通過する空気を減らせるため、前面側熱交換部６−１からの風漏れを防ぎ、ファン結露を防止することができる。
【００３１】
図８は、実施の形態１における空気調和機の室内機の前面グリル内側の概略図である。図８において、室内機１６の前面グリル２３の内側で、室内膨張弁２１および室内膨張弁２１に接続される配管２７および２８の前面部側に防音材３１(例えば、ゴム板、鋼板等)を貼り付ける構成にしている。また、室内機１６の前面グリル２３の内側で、室内膨張弁２１の天面部側に緩衝材４０を貼り付ける構成にしている。
【００３２】
このように、本実施の形態においては、膨張弁２１の振動を吸収し、振動音を低減することができる。また、室内機１６の輸送振動および落下による膨張弁コイルの抜けを防止することができる。
【００３３】
また、本発明の実施の形態において、室内制御器１５を室内機１６の右側端部に配置し、室内膨張弁２１を室内機１６の左側端部に配置しているが、左右を逆にして入れ替えた構造であっても、本実施の形態と同様な作用・効果を得ることができる。
【産業上の利用可能性】
【００３４】
以上のように、本発明にかかる空気調和機は、多室形空気調和機に限定されることはなく、シングルの空気調和機であっても本発明を適用することができる。
【符号の説明】
【００３５】
１  空気調和機
２  圧縮機
３  四方弁
４  室外熱交換器
５  室外膨張弁
６ａ〜６ｃ  室内熱交換器
６−１  前面側熱交換部
６−２  背面側熱交換部
７    冷媒配管
８  レシーバ
９  吐出温度検出装置
１０  室外ファン
１１  室外熱交温度検出装置
１２ａ〜１２ｃ  室内ファン
１３ａ〜１３ｃ  室内熱交温度検出装置
１４ａ〜１４ｃ  室内吸込温度検出装置
１５ａ〜１５ｃ  室内制御器
１６ａ〜１６ｃ  室内機
１７ａ〜１７ｃ  リモ−トコントロ−ラ
１８  室外制御器
１９  室外機
２０  室外吸込温度検出装置
２１ａ〜２１ｃ  室内膨張弁
２１−１  室内膨張弁のリード線部
２２ａ〜２２ｃ  室内ガス管温度検出装置
２３  前面グリル
２４  上下羽根
２５Ａ、２５Ｂ  水受け皿
２６  ストレーナ（サイレンサ、マフラー等を含む）
２７  膨張弁入口配管
２８  膨張弁出口配管
２９  リード線収納部
２９−１  室内吸込温度検出装置固定リブ
２９−２  リード線固定リブ
２９−３  リード線カバーの蓋
２９−４  リード線カバーの蓋のリブ
２９−５  リード線カバー穴あき部
２９−６  リード線カバー固定リブ
３０  フィルター
３１  防音材
３３  分流器
３４  上下仕切版
３５  左右仕切版
３６  金属カバー
３７  モータ固定部材
３８  断熱材
３９  シール材
４０  緩衝材
【図１】
2011202901.tif 000003
【図２】
2011202901.tif 000004
【図３】
2011202901.tif 000005
【図４】
2011202901.tif 000006
【図５】
2011202901.tif 000007
【図６】
2011202901.tif 000008
【図７】
2011202901.tif 000009
【図８】
2011202901.tif 000010